(57)【要約】本発明の例示の側面によれば、受信した情報を記憶するよう構成されたメモリと、前記情報が受信されたときの品質レベルを判断し、品質レベルに少なくとも部分的に基づいてフィードバックリソースを選択し、選択されたフィードバックリソース上でフィードバックの送信を生じさせるかについて決定するように構成された少なくとも１つの処理コアと、を備える装置が提供される。【選択図】図５
2019506107.tif 000002
【特許請求の範囲】
【請求項１】
・  受信した情報を記憶するよう構成されたメモリと；
・  前記情報が受信されたときの品質レベルを判断し、前記品質レベルに少なくとも部分的に基づいてフィードバックリソースを選択し、前記選択されたフィードバックリソース上でフィードバックの送信を生じさせるかについて決定するように構成された少なくとも１つの処理コアと；
を備える装置。
【請求項２】
前記選択されたフィードバックリソースは、時間リソース、周波数リソースおよび符号のうちの少なくとも１つを備える、請求項１に記載の装置。
【請求項３】
前記少なくとも１つの処理コアは、品質レベル範囲のセットからフィードバックリソースのセットへのマッピングに少なくとも部分的に基づいて前記フィードバックリソースを選択するように構成される、請求項１〜２のいずれかに記載の装置。
【請求項４】
前記少なくとも１つの処理コアは、前記品質レベルが低いことに応じて早いフィードバックリソースを、前記品質レベルが高いことに応じて遅いフィードバックリソースを選択するよう構成される、請求項１〜３のいずれかに記載の装置。
【請求項５】
前記少なくとも１つの処理コアは、
前記品質レベルが最低閾値品質レベル未満であることに応じて最も早いフィードバックリソースを選択すること；
前記品質レベルが最高閾値品質レベルよりも高いことに応じてフィードバックを送らないこと；
のうちの少なくとも１つを実行するよう構成される、請求項３または４に記載の装置。
【請求項６】
前記少なくとも１つの処理コアは、コンテンションベースのメカニズムを使用して前記フィードバックの送信を生じさせるように構成される、請求項１〜５のいずれかに記載の装置。
【請求項７】
前記少なくとも１つの処理コアは、前記装置がアイドルモードである間に、前記フィードバックを受信する通信ネットワークに対して前記フィードバックの送信を発生させるように構成される、請求項６に記載の装置。
【請求項８】
前記少なくとも１つの処理コアは、前記通信ネットワークからのリクエストを処理し、前記リクエストに応答して、前記通信ネットワークに対して接続状態に移行するように構成される、請求項７に記載の装置。
【請求項９】
前記少なくとも１つの処理コアは、前記判断された品質レベルよりも劣る品質レベルに関連付けられたフィードバックリソースを使用して別の装置がフィードバックを送信したと判断することに応じて、前記フィードバックの送信の抑制を決定するように構成される、請求項１〜８のいずれかに記載の装置。
【請求項１０】
フィードバックリソースがサービス依存である、及び／又は、品質レベルがサービス依存である、請求項１〜９のいずれかに記載の装置。
【請求項１１】
前記少なくとも１つの処理コアは、変更された無線パラメータを前記装置において受信することに応じて前記フィードバックの送信の抑制を決定するよう構成される、請求項１〜１０のいずれかに記載の装置。
【請求項１２】
前記フィードバックは、ブロードキャストサービスまたはマルチキャストサービスに関するフィードバックを備える、請求項１〜１１のいずれかに記載の装置。
【請求項１３】
少なくとも１つの処理コアと、コンピュータプログラムコードを含む少なくとも１つのメモリとを備える装置であって、前記コンピュータプログラムコードは、前記少なくとも１つの処理コアに実行されると、前記装置に少なくとも、
・  情報をデバイスに送信することと；
・  前記デバイスから前記情報の受信に関するフィードバックを受信すること、ただし、第１の受信品質を示すフィードバックは第１のフィードバックリソース上で送信され、第２の受信品質を示すフィードバックは第２のフィードバックリソース上で送信される、前記受信することと；
・  前記受信したフィードバックに少なくとも部分的に基づいて送信パラメータを変更するかについて決定することと；
をさせるように構成される、装置。
【請求項１４】
前記装置は、フィードバックが前記第１のフィードバックリソース上で受信されれば前記第２のフィードバックリソース上のフィードバックをリッスンしないように構成される、請求項１３に記載の装置。
【請求項１５】
前記コンピュータプログラムコードは、前記少なくとも１つの処理コアに実行されると、前記装置に、前記第１のフィードバックリソースに関する干渉対雑音比を推定することにより前記第１のフィードバックリソース上でフィードバックを送信するデバイスの数を推定させるように構成される、請求項１３または１４に記載の装置。
【請求項１６】
前記コンピュータプログラムコードは、前記少なくとも１つの処理コアに実行されると、前記装置に、少数のユーザ機器のみが劣悪な受信品質に遭遇することを前記フィードバックが示すことに応じて、前記送信パラメータが変更される周期性を変更させるように構成される、請求項１３〜１５のいずれかに記載の装置。
【請求項１７】
前記コンピュータプログラムコードは、前記少なくとも１つの処理コアに実行されると、前記装置に、品質レベル範囲のセットからフィードバックリソースのセットへのマッピングを前記デバイスに提供させるように構成される、請求項１３〜１６のいずれかに記載の装置。
【請求項１８】
・  受信した情報を装置において記憶することと；
・  前記情報が受信されたときの品質レベルを判断することと；
・  前記品質レベルに少なくとも部分的に基づいてフィードバックリソースを選択することと；
・  前記選択されたフィードバックリソース上でフィードバックの送信を生じさせるかについて決定することと；
を含む方法。
【請求項１９】
前記選択されたフィードバックリソースは、時間リソース、周波数リソースおよび符号のうちの少なくとも１つを備える、請求項１８に記載の方法。
【請求項２０】
前記フィードバックリソースは、品質レベル範囲のセットからフィードバックリソースのセットへのマッピングに少なくとも部分的に基づいて選択される、請求項１８〜１９のいずれかに記載の方法。
【請求項２１】
前記品質レベルが低いことに応じて早いフィードバックリソースが選択され、前記品質レベルが高いことに応じて遅いフィードバックリソースが選択される、請求項１８〜２０のいずれかに記載の方法。
【請求項２２】
前記判断された品質レベルが最低閾値品質レベル未満であることに応じて最も早いフィードバックリソースが選択される、前記品質レベルが最高閾値品質レベルよりも高い場合はフィードバックが送られない、のうちの少なくとも１つを含む、請求項２０または２１に記載の方法。
【請求項２３】
前記フィードバックの送信は、コンテンションベースのメカニズムを使用して発生させられる、請求項１８〜２２のいずれかに記載の方法。
【請求項２４】
前記フィードバックの送信は、前記装置がアイドルモードである間に、前記フィードバックを受信する通信ネットワークに対して発生させられる、請求項２３に記載の方法。
【請求項２５】
前記通信ネットワークからのリクエストを処理することと、前記リクエストに応答して前記通信ネットワークに対して接続状態に移行することとをさらに含む、請求項２４に記載の方法。
【請求項２６】
前記判断された品質レベルよりも劣る第１の品質レベルに関連付けられたフィードバックリソースを使用して別の装置がフィードバックを送信したと判断することに応じて、前記フィードバックの送信の抑制を決定することを含む、請求項１８〜２５のいずれかに記載の方法。
【請求項２７】
フィードバックリソースがサービス依存である、及び／又は、品質レベルがサービス依存である、請求項１８〜２６のいずれかに記載の方法。
【請求項２８】
変更された無線パラメータを受信することに応じて、前記フィードバックの送信の抑制を決定することをさらに含む、請求項１８〜２７のいずれかに記載の方法。
【請求項２９】
前記フィードバックは、ブロードキャストサービスまたはマルチキャストサービスに関するフィードバックを備える、請求項１８〜２８のいずれかに記載の方法。
【請求項３０】
・  情報を装置からデバイスに送信することと；
・  前記デバイスから前記情報の受信に関するフィードバックを受信すること、ただし、第１の受信品質を示すフィードバックは第１のフィードバックリソース上で送信され、第２の受信品質を示すフィードバックは第２のフィードバックリソース上で送信される、前記受信することと；
・  前記受信したフィードバックに少なくとも部分的に基づいて送信パラメータを変更するかについて決定することと；
を含む方法。
【請求項３１】
フィードバックが前記第１のフィードバックリソース上で受信されれば前記第２のフィードバックリソース上のフィードバックをリッスンしないことをさらに含む、請求項３０に記載の方法。
【請求項３２】
前記第１のフィードバックリソースに関する干渉対雑音比を推定することにより前記第１のフィードバックリソース上でフィードバックを送信するデバイスの数を推定することをさらに含む、請求項３０または３１に記載の方法。
【請求項３３】
少数のユーザ機器のみが劣悪な受信品質に遭遇することを前記フィードバックが示すことに応じて、前記送信パラメータが変更される周期性を変更することをさらに含む、請求項３０〜３２のいずれかに記載の方法。
【請求項３４】
前記装置に、品質レベル範囲のセットからフィードバックリソースのセットへのマッピングを前記デバイスに提供させることをさらに含む、請求項３０〜３３のいずれかに記載の方法。
【請求項３５】
・  受信した情報を装置において記憶する手段と；
・  前記情報が受信されたときの品質レベルを判断する手段と；
・  前記品質レベルに少なくとも部分的に基づいてフィードバックリソースを選択する手段と；
・  前記選択されたフィードバックリソース上でフィードバックの送信を生じさせるかについて決定する手段と；
を備える装置。
【請求項３６】
・  情報をデバイスに送信する手段と；
・  前記デバイスから前記情報の受信に関するフィードバックを受信する手段であって、第１の受信品質を示すフィードバックは第１のフィードバックリソース上で送信され、第２の受信品質を示すフィードバックは第２のフィードバックリソース上で送信される、前記受信する手段と；
・  前記受信したフィードバックに少なくとも部分的に基づいて送信パラメータを変更するかについて決定する手段と；
を備える装置。
【請求項３７】
コンピュータ可読命令のセットが記憶された非一時的なコンピュータ可読媒体であって、前記コンピュータ可読命令は、少なくとも１つのプロセッサによって実行されると装置に少なくとも、
・  受信した情報を装置において記憶することと；
・  前記情報が受信されたときの品質レベルを判断することと；
・  前記品質レベルに少なくとも部分的に基づいてフィードバックリソースを選択することと；
・  前記選択されたフィードバックリソース上でフィードバックの送信を生じさせるかについて決定することと；
をさせる、非一時的なコンピュータ可読媒体。
【請求項３８】
コンピュータ可読命令のセットが記憶された非一時的なコンピュータ可読媒体であって、前記コンピュータ可読命令は、少なくとも１つのプロセッサによって実行されると装置に少なくとも、
・  情報をデバイスに送信することと；
・  前記デバイスから前記情報の受信に関するフィードバックを受信すること、ただし、第１の受信品質を示すフィードバックは第１のフィードバックリソース上で送信され、第２の受信品質を示すフィードバックは第２のフィードバックリソース上で送信される、前記受信することと；
・  前記受信したフィードバックに少なくとも部分的に基づいて送信パラメータを変更するかについて決定することと；
をさせる、非一時的なコンピュータ可読媒体。
【請求項３９】
請求項１８〜３４の少なくとも１つに記載の方法の実行を生じさせるように構成されたコンピュータプログラム。
【発明の詳細な説明】
【技術分野】
【０００１】
本発明は、通信ネットワークにおけるフィードバックシグナリングの管理に関する。
【背景】
【０００２】
ケーブルまたは無線チャネルなどの通信媒体上での情報の伝達は、いくつかの課題を伴う。第１に、情報が、利用される用途に適した品質レベルで受信機にて受信可能である必要がある。例えば、情報がデジタルビデオである場合、通信レート、つまりビットレートは、典型的には相対的に高く、個々のビット誤りは、ユーザがそれに気づく可能性が低いため許容可能と見なされることもある。他方で、情報が送信機から受信機にコピーされるデジタルファイルを備える場合、ビット誤りは、それによりファイルが送信中に破損状態になるであろうことから許容されない。誤り訂正符号化が、個々のビット誤りを検出および訂正するために適用される場合もある。例えば、ビットエラーレート（ＢＥＲ）がゼロでないのにブロックエラーレート（ＢＬＥＲ）がゼロであるようなビット誤りを、検出および訂正するために、誤り訂正符号化が適用される場合がある。
【０００３】
第２に、情報の伝達に使用されるエネルギーは、十分な品質レベルであるが過度な品質レベルではない品質レベルでの通信を可能にするのに十分でなければならない。例えばワイヤレス通信では、過度な電力を通信に使用すると、無線リソースにおける干渉を生じることがあり、これはワイヤレス通信システムの全体的な能力を制限する。例えば、符号分割多元接続、ＣＤＭＡ（ｃｏｄｅ−ｄｉｖｉｓｉｏｎ  ｍｕｌｔｉｐｌｅ  ａｃｃｅｓｓ）、に基づくワイヤレスシステムでは、多数の送信局および受信局が同じ周波数帯を共有し、直交符号を使用して達成される通信は、他の局には背景雑音のように見える。この雑音レベルは、使用される電力が高いほど強く他の各局に出現し、他の各局にはその個々の通信においてより強い電力を使用する必要が生じ、さらに干渉レベルが増大する。当然、通信を行う局が電池式の場合、過度な送信電力を使用すると、電池リソースも不必要に速く枯渇する。したがって、十分であるが過度ではない電力レベルを使用することが好ましい。
【０００４】
第３に、送信機がその送信に変更を加えられるように、フィードバックが受信機から送信機に提供されることもある。例えば受信機は、情報が不必要に強い電力で送信されていると判断すると、フィードバックを使用して、送信電力が低下されてもよいことを送信機に通知することもある。他方、受信機は、ビットエラーレートやブロックエラーレートが高すぎると判断した場合、フィードバックを提供して送信機に送信電力を増大するよう通知することもある。
【０００５】
送信電力を適応のほかに、またはその代わりに、他の送信パラメータもフィードバックに応じて変更可能である。例えば変調および符号化パラメータを、受信された信号品質によりよく一致するように変更できる。
【発明の概要】
【０００６】
本発明は、独立クレームの特徴により定義される。一部の特定の実施形態は、従属クレームにおいて定義される。
【０００７】
本発明の第１の側面によれば、受信した情報を記憶するよう構成されたメモリと、前記情報が受信されたときの品質レベルを判断し、品質レベルに少なくとも部分的に基づいてフィードバックリソースを選択し、選択されたフィードバックリソース上でフィードバックの送信を生じさせるかについて決定するように構成された少なくとも１つの処理コアと、を備える装置が提供される。
【０００８】
第１の側面の様々な実施形態は、以下の箇条書きの一覧からの少なくとも１つの特徴を備えてもよい：
・  選択されたフィードバックリソースは、時間リソース、周波数リソースおよび符号のうちの少なくとも１つを備える
・  少なくとも１つの処理コアは、品質レベル範囲のセットからフィードバックリソースのセットへのマッピングに少なくとも部分的に基づいてフィードバックリソースを選択するように構成される
・  少なくとも１つの処理コアは、品質レベルが低いことに応じて早いフィードバックリソースを、品質レベルが高いことに応じて遅いフィードバックリソースを選択するよう構成される
・  少なくとも１つの処理コアは、次のこと：品質レベルが最低閾値品質レベル未満であることに応じて最も早いフィードバックリソースを選択することと、品質レベルが最高閾値品質レベルよりも高いことに応じてフィードバックを送らないことと、のうちの少なくとも１つを実行するよう構成される
・  少なくとも１つの処理コアは、コンテンションベースのメカニズムを使用してフィードバックの送信を生じさせるように構成される
・  少なくとも１つの処理コアは、フィードバックを受信する通信ネットワークに対して装置がアイドルモードである間にフィードバックの送信を発生させるように構成される
・  少なくとも１つの処理コアは、通信ネットワークからのリクエストを処理し、リクエストに応答して通信ネットワークに対して接続状態に移行するように構成される
・  少なくとも１つの処理コアは、判断された品質レベルよりも劣る品質レベルに関連付けられたフィードバックリソースを使用して別の装置がフィードバックを送信したと判断することに応じて、フィードバックの送信を抑制することを決定するように構成される
・  フィードバックリソースはサービス依存である、品質レベルはサービス依存である、のうちの少なくとも１つ
・  少なくとも１つの処理コアは、変更された無線パラメータを装置において受信することに応じてフィードバックの送信の抑制を決定するよう構成される
・  フィードバックは、ブロードキャストサービスまたはマルチキャストサービスに関するフィードバックを備える
・  装置は、基地局において受信されたフィードバックに関連付けられた最低品質レベルの指示を基地局から受信するように構成され、少なくとも１つの処理コアは、判断された品質レベルが指示された品質レベルよりも劣ると判断することに応じて、フィードバックを送信するのに使用される送信電力を増大させるように構成される。
【０００９】
本発明の第２の側面によれば、少なくとも１つの処理コアと、コンピュータプログラムコードを含む少なくとも１つのメモリとを備える装置であって、少なくとも１つのメモリおよびコンピュータプログラムコードは、少なくとも１つの処理コアとともに、装置に少なくとも、情報をデバイスに送信することと、デバイスから情報の受信に関するフィードバックを受信すること、ただし、第１の受信品質を示すフィードバックは第１のフィードバックリソース上で送信され、第２の受信品質を示すフィードバックは第２のフィードバックリソース上で送信される、受信することと、受信したフィードバックに少なくとも部分的に基づいて送信パラメータを変更するかについて決定することと、をさせるように構成される、装置が提供される。
【００１０】
第２の側面の様々な実施形態は、以下の箇条書きの一覧からの少なくとも１つの特徴を備えてもよい：
・  装置は、フィードバックが第１のフィードバックリソース上で受信されれば第２のフィードバックリソース上のフィードバックをリッスンしないように構成される
・  少なくとも１つのメモリおよびコンピュータプログラムコードは、少なくとも１つの処理コアとともに、装置に、第１のフィードバックリソースに関する干渉対雑音比を推定することにより少なくとも１つのフィードバックリソース上でフィードバックを送信するデバイスの数を推定させるように構成される
・  少なくとも１つのメモリおよびコンピュータプログラムコードは、少なくとも１つの処理コアとともに、装置に、少数のユーザ機器のみが劣悪な受信品質に遭遇することをフィードバックが示すことに応じて、送信パラメータが変更される周期性を変更させるように構成される
・  少なくとも１つのメモリおよびコンピュータプログラムコードは、少なくとも１つの処理コアとともに、装置に、品質レベル範囲のセットからフィードバックリソースのセットへのマッピングをデバイスに提供させるように構成される。
【００１１】
本発明の第３の側面によれば、受信した情報を装置において記憶することと、前記情報が受信されたときの品質レベルを判断することと、品質レベルに少なくとも部分的に基づいてフィードバックリソースを選択することと、選択されたフィードバックリソース上でフィードバックの送信を生じさせるかについて決定することと、を含む方法が提供される。
【００１２】
第３の側面の様々な実施形態は、第１の側面に関連して提示した前述の箇条書きの一覧からの特徴に対応する少なくとも１つの特徴を備えてもよい。
【００１３】
本発明の第４の側面によれば、情報を装置からデバイスに送信することと、デバイスから情報の受信に関するフィードバックを受信すること、ただし、第１の受信品質を示すフィードバックは第１のフィードバックリソース上で送信され、第２の受信品質を示すフィードバックは第２のフィードバックリソース上で送信される、受信することと、受信したフィードバックに少なくとも部分的に基づいて送信パラメータを変更するかについて決定することと、を含む方法が提供される。
【００１４】
第４の側面の様々な実施形態は、第２の側面に関連して提示した前述の箇条書きの一覧からの特徴に対応する少なくとも１つの特徴を備えてもよい。
【００１５】
本発明の第５の側面によれば、受信した情報を装置において記憶する手段と、前記情報が受信されたときの品質レベルを判断する手段と、品質レベルに少なくとも部分的に基づいてフィードバックリソースを選択する手段と、選択されたフィードバックリソース上でフィードバックの送信を生じさせるかについて決定する手段と、を備える装置が提供される。
【００１６】
本発明の第６の側面によれば、情報をデバイスに送信する手段と、デバイスから情報の受信に関するフィードバックを受信する手段であって、第１の受信品質を示すフィードバックは第１のフィードバックリソース上で送信され、第２の受信品質を示すフィードバックは第２のフィードバックリソース上で送信される、受信する手段と、受信したフィードバックに少なくとも部分的に基づいて送信パラメータを変更するかについて決定する手段と、を備える装置が提供される。
【００１７】
本発明の第７の側面によれば、コンピュータ可読命令のセットが記憶された非一時的なコンピュータ可読媒体であって、コンピュータ可読命令は、少なくとも１つのプロセッサによって実行されると装置に少なくとも、受信した情報を装置において記憶することと、前記情報が受信されたときの品質レベルを判断することと、品質レベルに少なくとも部分的に基づいてフィードバックリソースを選択することと、選択されたフィードバックリソース上でフィードバックの送信を生じさせるかについて決定することとをさせる、非一時的なコンピュータ可読媒体が提供される。
【００１８】
本発明の第８の側面によれば、コンピュータ可読命令のセットが記憶された非一時的なコンピュータ可読媒体であって、コンピュータ可読命令は、少なくとも１つのプロセッサによって実行されると装置に少なくとも、情報をデバイスに送信することと、デバイスから情報の受信に関するフィードバックを受信すること、ただし、第１の受信品質を示すフィードバックは第１のフィードバックリソース上で送信され、第２の受信品質を示すフィードバックは第２のフィードバックリソース上で送信される、受信することと、受信したフィードバックに少なくとも部分的に基づいて送信パラメータを変更するかについて決定することとをさせる、非一時的なコンピュータ可読媒体が提供される。
【００１９】
本発明の第９の側面によれば、第３および第４の側面のうちの少なくとも１つによる方法を実行させるように構成されたコンピュータプログラムが提供される。
【図面の簡単な説明】
【００２０】
【図１】本発明の少なくとも一部の実施形態による例示のシステムを示す。
【００２１】
【図２】品質レベル範囲のセットからフィードバックリソースのセットへのマッピングを示す。
【００２２】
【図３】本発明の少なくとも一部の実施形態をサポートできる例示の装置を示す。
【００２３】
【図４】本発明の少なくとも一部の実施形態によるシグナリングを示す。
【００２４】
【図５】本発明の少なくとも一部の実施形態による方法のフローグラフである。
【００２５】
【図６】本発明の少なくとも一部の実施形態による方法のフローグラフである。
【発明を実施するための形態】
【００２６】
ワイヤレスネットワーク上で通信するデバイスの数が増加するのに伴い、受信信号の品質についてフィードバックを送るための改善された方法に対するニーズがある。
【００２７】
受信品質レベルに基づき選択されたフィードバックリソース上でフィードバックを提供することで、送信機が、それぞれのフィードバックすべてを復号することなく、或る品質レベルの受信側の数を推定できるようになってもよい。同じく、劣悪な受信品質レベルに関連付けられたフィードバックリソースのほうが時間的により早い場合、送信パラメータの変更を必要とするフィードバックが他の受信側デバイスにより既に送信されたと判断すれば、一部の受信側デバイスはそのフィードバックの送信を差し控えてもよい。
【００２８】
図１は、本発明の少なくとも一部の実施形態による例示のシステムを示す。図１は、セルラまたは非セルラ基地局を備えてもよい基地局１４０を示す。非セルラ基地局は、代わりに、例えばアクセスポイントと呼ばれてもよい。したがって、基地局１４０は、セルラまたは非セルラ通信技術に従って作動するように構成されてもよい。セルラ通信技術の例としては、ワイヤレス符号分割多元接続、ＷＣＤＭＡ（登録商標）、ロングタームエボリューション（ＬＴＥ；ｌｏｎｇ  ｔｅｒｍ  ｅｖｏｌｕｔｉｏｎ）、暫定標準９５、ＩＳ−９５（ｉｎｔｅｒｉｍ  ｓｔａｎｄａｒｄ  ９５）、および第５世代セルラ技術が挙げられる。非セルラ通信技術の例は、ワイヤレス・ローカル・エリア・ネットワーク、ＷＬＡＮ（ｗｉｒｅｌｅｓｓ  ｌｏｃａｌ  ａｒｅａ  ｎｅｔｗｏｒｋ）、およびワールドワイド・インターオペラビリティ・フォー・マイクロウェーブ・アクセス、ＷｉＭＡＸ（登録商標）、を含む。
【００２９】
デバイス１１０、１２０および１３０は、基地局１４０から情報を受信するように準備されたデバイスを備えてもよい。これらは、人とのやり取りを必要とするデバイス（ＵＥデバイスと呼ばれることが多い）、または様々なタイプのマシンタイプ通信、ＭＴＣ（ｍａｃｈｉｎｅ  ｔｙｐｅ  ｃｏｍｍｕｎｉｃａｔｉｏｎ）、デバイスなどの人とのやり取りを必要としないデバイスとすることができる。デバイス１１０、１２０および１３０は、基地局１４０が情報の送信に使用するのと同じ通信技術に従って情報を受信するよう構成され、それによって相互運用性を実現する。例えば、デバイス１１０、１２０および１３０のそれぞれは、電波などの電磁波を使用して基地局１４０からワイヤレスインターフェース上で情報を受信してもよい。
【００３０】
基地局１４０とデバイス１１０、１２０および１３０それぞれとの通信は、双方向であってもよく、その場合この通信は、基地局１４０からデバイスに向かって情報を搬送するためのダウンリンクと、デバイス１１０、１２０および１３０から基地局１４０に向かって情報を搬送するアップリンクとを備える。例えばダウンリンクは、基地局１４０から情報を送信するために使用されてもよく、アップリンクは、情報の受信に関するフィードバックを基地局１４０に向かって搬送するために使用されてもよい。
【００３１】
基地局１４０は、セルを制御するように構成されてもよい。そのようなセルのカバレッジエリアの境界が、図１において輪郭線１４１として概略的に示されている。さらに基地局１４０は、ネットワークノード１５０に結合されてもよく、さらにネットワークノード１５０は、さらなるネットワークノード１６０に結合されてもよい。さらなるネットワークノード１６０は、例えばさらなるネットワークへの接続性を有してもよい。そのようなさらなるネットワークは、図１に示されていない。ネットワークノード１５０は、例えば基地局コントローラまたはモビリティ管理エンティティを備えてもよい。さらなるネットワークノード１６０は、例えばスイッチまたはゲートウェイを備えてもよい。基地局１４０は、ネットワークノード１５０およびさらなるネットワークノード１６０を介して、例えば基地局１４０により制御されたセルにアタッチされたデバイスなどに、インターネットへの接続性を提供できてもよい。
【００３２】
基地局１４０は、例えばユニキャスト、マルチキャストまたはブロードキャストなどによってデバイス１１０、１２０および１３０に情報を送信してもよい。ユニキャストでは、情報は、例えばデバイス１２０などの単一の受信デバイスに送信される。受信デバイスは、フィードバック情報を基地局１４０に提供してもよく、その結果、ハイブリットＡＲＱ、ＨＡＲＱ（ｈｙｂｒｉｄ−ＡＲＱ）、プロセスがユニキャスト通信のスペクトル効率を高めるために利用されてもよい。ＨＡＲＱにおいて基地局１４０は、初期の復号が失敗した場合、デバイス１２０が受信ブロックの復号に成功するよう支援するために増分冗長情報を送信してもよい。したがって、ユニキャストにおいてフィードバックチャネルは、送信機および受信機がエネルギー効率のよい形で情報配信において連係できるようにするために提供される。
【００３３】
マルチキャストおよびブロードキャストにおいて、情報は複数の受信側に送信される。この情報は例えば、異なる種類のマルチメディア情報、設定情報、アラートおよびその他任意のタイプの情報を備えてもよい。受信側の数は、例えば５００、１０００またはより多くなど、多数であってもよい。マルチキャストまたはブロードキャストは、各受信機用に別々のアップリンク方向の専用フィードバックチャネルを欠くこともある。よって、ユニキャストで利用可能なＨＡＲＱがスペクトル効率を高め、ひいては特定の最大許容伝送電力を使用したより長い距離にわたる通信を可能にするので、マルチキャストまたはブロードキャストの伝送範囲は、ユニキャストの場合よりも短いかもしれない。マルチキャストまたはブロードキャスト送信を受信するデバイスは、情報のブロックを受信した品質レベルを識別するフィードバックを提供してもよい。そのようなフィードバック送信は、例えば共有無線チャネルを備えてもよい共有されたフィードバックリソースを使用して行われてもよい。
【００３４】
図１において、基地局１４０からデバイス１１０、１２０および１３０に送信される情報は、基地局１４０からデバイスへの実線の矢印により示される。フィードバックは、デバイスから基地局１４０への破線矢印により示される。一部の実施形態において、デバイスは、他のデバイスにより送信されるフィードバックに関しリッスンすることが可能である。例えば、例としてデバイス１１０がそれ自体のフィードバックをデバイス１２０とは異なるタイミングで送信する事例において、デバイス１１０はデバイス１２０により送信されたフィードバックをリッスンすることができる。受信デバイスの数が非常に多い場合、それらが基地局１４０に返送するフィードバックは、フィードバックの搬送に使用されるリソース、またはより広く通信システムに対して負担を生じるかもしれない。フィードバックの搬送に使用されるリソースは、フィードバックリソースと呼ばれてもよい。フィードバックリソースは無線リソースを備えてもよく、これは、周波数、符号、時間、またはこれらの様々な組み合わせの点で定義されてもよい。例えば、周波数および／または符号のセットが、タイムスロットにさらに時分割多重化される用途のために提供されてもよい。そのようなタイムスロットは、場合によっては周波数および／または符号とともに、フィードバックリソースのセットと考えられてもよい。
【００３５】
多次元フィードバックリソースは、異なる次元を基準にフィードバックを区別してもよい。例えば、特定の周波数リソースが特定のサービスに関するフィードバックを送るために使用されてもよく、特定の時間リソースが特定の品質レベルに関するフィードバックを送るために使用されてもよい。時間および周波数は例でしかなく、異なる実施形態においては、直交プリアンブルなど、他のタイプの直交リソースを、品質閾値レベルおよび／またはサービスを区別するために使用できる。しかし、品質レベルを区別するためにタイムスロットを使用するのが好適な実施形態である。これは、より劣悪な品質レベルに遭遇しているデバイスが最初にそのフィードバックを送信できるからである。
【００３６】
基地局１４０に送信されるフィードバックの量を削減できれば、全体的に有利であろう。接続状態への移行はさらなるシグナリングを伴うであろうから、デバイスがフィードバックを送信するために基地局に対して接続状態に移行する必要がない場合には、さらなる利点が得られるであろう。
【００３７】
例えばデバイス１１０などの受信デバイスが基地局１４０から情報のブロックを受信すると、受信デバイスは、少なくとも一時的に情報のブロックを記憶してもよい。デバイスは、情報を受信した品質レベルを、記憶された情報から判断してもよい。品質レベルは、ＢＥＲ、ＢＬＥＲ、または信号対干渉比などのその他の基準、または複数基準の組み合わせに基づき判断されてもよい。一部の実施形態において、巡回冗長検査、ＣＲＣ（ｃｙｃｌｉｃ  ｒｅｄｕｎｄａｎｃｙ  ｃｈｅｃｋ）、アルゴリズムが、情報のブロックが正確に受信されたかどうかを評価するために用いられる。デバイス１１０は、品質レベルに基づいて、フィードバックを基地局１４０に送信するかについて決定してもよい。そのような決定は、フィードバックを送信するかまたはフィードバックを送信しないかを決定することを含んでもよい。例えば、品質が適切と見なされれば、デバイスはフィードバックを送信する必要がなくてもよく、品質が悪ければ、デバイスはフィードバックの送信を少なくとも検討してもよい。
【００３８】
フィードバックが送信される場合、フィードバックは、選択されたフィードバックリソース上で送信されてもよい。
【００３９】
フィードバックリソースは、品質レベル範囲のセットからフィードバックリソースのセットへのマッピングに基づき選択されてもよい。詳しくは、デバイス１１０は、判断された品質レベルが含まれる品質レベル範囲を判断してもよく、次にマッピングにより、この品質レベル範囲に関連付けられたフィードバックリソースを選択してもよい。マッピングは、同様に、より早いフィードバックリソースと、より低い品質レベル範囲とを関連付けてもよい。すなわちマッピングは、劣悪な受信品質レベルを示すフィードバックを、より早いフィードバックリソースを使用して送信させてもよい。例えば、品質レベルが低いときには周波数時間フィードバックリソースセットの中のより早いほうのタイムスロットが選択されてもよい。同様に、マッピングは、より遅いフィードバックリソースとより高い品質レベル範囲とを関連付けてもよい。
【００４０】
特にマッピングは、例えば第１のタイムスロットなどの最も早いフィードバックリソースと、最低閾値品質レベルとを関連付けてもよい。言い換えれば、閾値より下のすべての品質レベルと定義されてもよい最低の群に品質レベルが入る場合、それに応じて最も早いフィードバックリソースが選択されてもよい。
【００４１】
フィードバックリソースは、追加としてまたは代わりに、特定のサービスに依存して選択されてもよい。例えば、特定のサービスに関するフィードバックを特定の周波数リソース上で送ることができる。したがって、選択される時間周波数リソースは、特定のサービスに関して遭遇した品質レベルを識別してもよい。
【００４２】
フィードバックを送信することについての決定は、デバイス１１０と同じタイプのさらなるデバイスまたはデバイス１１０と同じサービスを使用しているさらなるデバイスにより基地局１４０へ向かって送信されるフィードバックに、少なくとも部分的に基づいてもよい。詳しくは、デバイス１１０は、他のデバイスにより送信されるフィードバックをリッスンして、デバイス１１０がそれ自体のフィードバックを送信する必要があるかどうかを判断してもよい。
【００４３】
一部の実施形態において、基地局は、一部のデバイスからフィードバックを受信した後、他のデバイスに、さらなるフィードバックは不要であると直接または間接的に指示してもよい。
【００４４】
一部の実施形態において、基地局は、一部のデバイスからフィードバックを受信した後、変更された無線パラメータを送る。他のデバイスは、向上した品質に気がつき、フィードバックを送る必要はない。あるいは、各デバイスは、変更した無線パラメータをネットワークが送ることを、さらなるフィードバックが必要ないことを示す、ネットワークからの確認であると理解することができる。
【００４５】
フィードバックを送信することについての決定は、他のデバイスがデバイス１１０において判断されたよりも低い品質レベルを示すフィードバックを送信したかどうかについての判断に少なくとも部分的に基づいてもよい。そのようなより低い品質レベルは、１つのデバイス１１０が使用するはずのリソースよりも早いフィードバックリソースを使用してレポートできるので、デバイス１１０は、当該リソースの使用を、選択したフィードバックリソースが使用可能になる前に検出してもよい。そのようなより低い品質レベルが他のデバイスによりレポートされた場合、基地局１４０はいずれにしても他の受信デバイスが既にレポートした、より低い品質レベルに反応するであろうから、デバイス１１０は、それ自体のフィードバックの送信の抑制を決定してもよい。本事例では、デバイス１１０からのフィードバックは、基地局１４０において使用された送信パラメータに影響を与えず、ネットワークリソースを消費するだけであろう。
【００４６】
一部の実施形態において、受信デバイスは、品質レベル閾値を有し、受信の品質レベルがこの閾値よりも高い場合、受信デバイスは常にフィードバックの送信の抑制を決定する。
【００４７】
一部の実施形態において、フィードバックを送信するデバイスは、デバイスの位置および／またはデバイスの識別子に関する指示をそこに含めてもよい。
【００４８】
フィードバックは、デバイスが基地局１４０および／または基地局１４０により制御されるセルに対してアイドル状態である間に、コンテンションベースのメカニズムを使用してデバイス１１０、１２０および／または１３０から送信されてもよい。前述したとおり、アイドル状態にとどまることは、デバイスの電力およびネットワークリソースを節約し、受信デバイスの数がセル内に増加するのに伴いますます有用になる。フィードバックは、ランダムアクセス手順に類似したメカニズムで提供されてもよく、それがネットワークへの実際のアクセスを求めるものではないことの指示を備えてもよい。フィードバックリソースは、基地局１４０に伝達される品質レベルに関連付けられているので、一部の実施形態においてフィードバックは、品質レベルの別個の指示を備える必要はない。基地局１４０は、使用されているフィードバックリソースから、どの品質レベルが受信デバイスにおいて判断されたかを判断してもよい。特定のリソースに関するフィードバックを受信した後、基地局はさらに、特定の品質レベルに遭遇しているデバイスの数を推定してもよい。よって、基地局１４０は、フィードバックの具体的な項目を送るデバイスのアイデンティティを知る必要はなく、むしろ基地局１４０は、どのフィードバックリソースが使用されたかマッピングおよび判断をすることに基づき、フィードバックの項目に関連付けられた品質レベルを判断してもよい。一部の事例において、コンテンションベースのメカニズムを使用する利点は、基地局がフィードバックを復号する必要がなく、フィードバックリソースにエネルギーが存在することを単に検出することができることである。
【００４９】
基地局１４０は、個々の受信デバイスに、セル内におけるそれらの位置に関する情報などの追加情報を提供するようリクエストしてもよい。そのようなリクエストに応答して、デバイスは、接続状態に移行してリクエストされた情報を提供してもよい。
【００５０】
一部の実施形態において、基地局１４０は、前のラウンドにおいてフィードバックを受信したものに関し最低品質レベルの指示を、例えばブロードキャストまたはマルチキャストなどにより送信するよう構成される。受信デバイスは、この指示を受信して、それと、前のラウンドで当該受信デバイスがレポートした品質レベルとを比較してもよい。基地局１４０により指示された品質レベルが前のラウンドにおいて特定の受信デバイスがレポートしたのものよりも高い場合、特定の受信デバイスは、将来のフィードバックを提供する電力を増大させることを決定してもよい。その理由は、この事例において、基地局１４０が、前のラウンドで特定のデバイスがレポートしたフィードバックを認識していないことが分かるからである。
【００５１】
一方、基地局１４０は、受信するフィードバックに関連付けられた品質レベルを判断してもよく、その品質レベルに応じて、フィードバックへの応答として少なくとも１つの送信パラメータを変更してもよい。例えば、主としてフィードバックが低品質レベルに関連付けられたフィードバックリソース上で搬送される場合、基地局１４０は、送信電力を増大させ、かつ／またはより単純な変調および／または符号化の使用に切り替えてもよい。逆に、品質レベルが高ければ、基地局１４０は、送信電力を低下させ、かつ／またはよりロバストな変調および／または符号化の使用に切り替えてもよい。
【００５２】
基地局１４０は、一定の品質レベルに遭遇しているデバイスの数を、特定のフィードバックリソース上の干渉対雑音値を推定することにより推定してもよい。したがって、フィードバックを送信するデバイスの数の推定を干渉対雑音値を使用して推定できれば、フィードバック自体を復号することは不必要かもしれない。
【００５３】
低品質レベルをレポートする受信デバイスが少数にすぎない場合、それに応じて基地局１４０は、フィードバックの提供および送信パラメータの変更が行われる周期性を変更してもよい。その理由は、デバイスが基地局１４０から送信される情報を難なく受信しているようであるから、フィードバック提供が行われる頻度をより低くできるからである。これもやはり、システムにおけるフィードバックの量を削減し、場合によっては他の用途に向けてリソースを空けること、および／または通信に使用する電力を低減することになる。
【００５４】
基地局１４０は、どのフィードバックリソースをどの品質レベル範囲とともに使用するかを決定するために使用される、マッピングを設定してもよい。この設定は、基地局１４０が受信デバイスにマッピングを提供することを含んでもよく、この提供は、物理レイヤ上で、またはアプリケーションレイヤシグナリングを介した搬送によって、行われてもよい。
【００５５】
図２は、品質レベル範囲のセットからフィードバックリソースのセットへのマッピングを示す。縦軸には品質レベル閾値が配置されている。この軸には３つの範囲が配置されている。第１に、品質レベルＱ１よりも劣る品質レベル、第２に、品質レベルＱ１と品質レベルＱ２との間の品質レベル、および第３に、品質レベルＱ２と品質レベルＱ３との間の品質レベルである。
【００５６】
横軸には、３つのフィードバックリソースＲ１、Ｒ２およびＲ３が示されている。Ｒ１の黒い棒は、フィードバックリソースＲ１を使用して送信されることになるフィードバックに関連付けられた品質レベルを示し、つまり品質レベルは、閾値Ｑ１よりも低い。Ｒ２の黒い棒は、フィードバックリソースＲ２を使用して送信されることになるフィードバックに関連付けられた品質レベルを示し、つまり品質レベルは、閾値Ｑ１よりも高く、閾値Ｑ２よりも低い。Ｒ３の黒い棒は、フィードバックリソースＲ３を使用して送信されることになるフィードバックに関連付けられた品質レベルを示し、つまり品質レベルは、閾値Ｑ２よりも高く、閾値Ｑ３よりも低い。図２のフィードバックリソースの数は例でしかなく、本発明の様々な実施形態において、品質レベル範囲およびフィードバックリソースの数は、図２に示された３の代わりに例えば１つ、２つ、５つまたは７つであってもよい。一部の実施形態では、定義済みの品質閾値Ｑ１、…Ｑ＿Ｎに対して、最高閾値Ｑ＿Ｎよりも高い品質レベルに遭遇しているデバイスは、それらの遭遇する品質レベルは許容可能と見なされるので、フィードバックを送る必要はないかもしれない。
【００５７】
図２のフィードバックリソースは、例えばタイムスロットであってもよい。したがって、時間領域においてＲ１がＲ２の前に発生する。この場合、閾値Ｑ１未満の品質レベルに遭遇しているユーザは、そのフィードバックを最初に送ってもよく、その後、Ｑ１とＱ２との間の品質レベルに遭遇しているユーザからのフィードバックが続く可能性がある。一部の実施形態において、最悪の品質に遭遇しているデバイスからフィードバックを受信した後、ネットワークは送信パラメータを変更することになる。定義済みの最高の閾値未満の品質に遭遇したがそのフィードバックはまだ送っていない他のデバイスは、フィードバックを送る必要はない。このように、最悪の品質に遭遇しているユーザのみが、そのフィードバックを送る。
【００５８】
品質レベルに関して使用されるフィードバックリソースは、例えば符号、周波数リソースまたは直交プリアンブルなど他のリソースとすることもできる。一般に、どの種類のリソースが使用されるかは重要ではない。主な原則は、使用されるリソースが、別々の品質レベル範囲に関するフィードバックを区別しなければならないという意味で、直交でなければならないということである。
【００５９】
さらに、または代わりに、異なるサービスを別のタイプのリソースにより区別されてもよい。例えば、同じマルチメディアブロードキャストマルチキャストサービス、ＭＢＭＳ（ｍｕｌｔｉｍｅｄｉａ  ｂｒｏａｄｃａｓｔ  ｍｕｌｔｉｃａｓｔ  ｓｅｒｖｉｃｅ）、ベアラ／サービスフローに多重化される種々のサービスが、フィードバックを送るために種々の周波数リソースを使用して差別化されることが可能である。
【００６０】
異なる品質レベルを区別する（１つのタイプ中の）フィードバックリソースは、種々のサービスにわたって同じであってもよく、またはそれらは異なってもよい。異なる品質レベルを区別するために使用されるリソース（例えば時間リソース）が種々のサービスにわたって同じであれば、異なるサービスを区別するために別のフィードバックリソース次元（例えば周波数リソースなど）が使用されてもよい。一方、異なる品質レベルを区別するために使用される（１つのタイプ中の）リソースが異なるサービスにわたって異なれば、ネットワークは、第１のタイプのフィードバックリソースに基づいて、それが対応する品質レベルおよびサービスの両方を既に知っているであろうから、第２のフィードバックリソース次元は必ずしも必要ではない。しかしながら、後者は、（タイムスロットの場合）さらなる遅延をもたらす。
【００６１】
品質レベルは、種々のサービスにわたって共通であってもよく、あるいは、品質レベルは特定のサービスそれぞれに対して別々に定義されてもよい。ネットワークはさらに、無線状態によりよく適合するように、品質閾値レベルを適応的に再設定してもよい。品質閾値レベルがよりよく設定されるほど、ネットワークはより早くフィードバックを受信してもよい。
【００６２】
品質閾値がＱ１，…，Ｑ＿Ｎであり、品質レベルのレポートにタイムスロットが使用される場合、ネットワークは常に、遭遇されている最悪の品質を、受信された第１セットのフィードバックに基づいて既に知っている。例えば、第１のフィードバックがＴ＿Ｎになって初めて受信されれば、ネットワークには、遭遇されている最悪の品質が、Ｑ＿（Ｎ−１）とＱ＿Ｎとの間の品質範囲内であると分かる。ネットワークはさらに、そのような品質レベルに遭遇しているデバイスの数を推定してもよい。この情報に基づいて、ネットワークは適宜、ＭＣＳを適合させてもよい。
【００６３】
第５世代セルラネットワークでは、マルチキャストブロードキャストサービスが、システム情報ブロック、マスタ情報ブロックなどの基本的なシグナリング情報をネットワーク内のすべてのデバイスに提供して、より高い周波数帯において限られているカバレッジ、および当該情報を送るためのリソース利用を改善することが期待されている。そうした送信技術はさらに、展開密度が高いマッシブＭＴＣデバイスに様々なメッセージを提供するために使用されることが提案されている。必要なフィードバックの量を最適化することによりそのようなサービスを効率的な形で提供することが、上記のネットワークにおいては必須であろう。
【００６４】
図３は、本発明の少なくとも一部の実施形態をサポートできる例示の装置を示す。示されているのはデバイス３００であり、これは例えば、図１のデバイス１１０などのモバイル通信デバイス、または適用可能な部分において基地局１４０を備えてもよい。デバイス３００は、プロセッサ３１０を備え、プロセッサ３１０は、例えばシングルまたはマルチコアプロセッサを備えてもよく、シングルコアプロセッサは、１つの処理コアを備え、マルチコアプロセッサは、２つ以上の処理コアを備える。プロセッサ３１０は、２つ以上のプロセッサを備えてもよい。処理コアは、例えばＡＲＭホールディングスにより製造されたＣｏｒｔｅｘ−Ａ８処理コア、またはアドバンスト・マイクロ・デバイシズ社により生産されたＳｔｅａｍｒｏｌｌｅｒ処理コアを備えてもよい。プロセッサ３１０は、少なくとも１つのクアルコムＳｎａｐｄｒａｇｏｎおよび／またはＩｎｔｅｌ  Ａｔｏｍプロセッサを備えてもよい。プロセッサ３１０は、少なくとも１つの特定用途向け集積回路、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、を備えてもよい。プロセッサ３１０は、少なくとも１つのフィールドプログラマブルゲートアレイ、ＦＰＧＡ（ｆｉｅｌｄ−ｐｒｏｇｒａｍｍａｂｌｅ  ｇａｔｅ  ａｒｒａｙ）、を備えてもよい。プロセッサ３１０は、デバイス３００において方法ステップを実行する手段であってもよい。プロセッサ３１０は、少なくとも部分的に、コンピュータ命令によってアクションを実行するよう構成されてもよい。
【００６５】
デバイス３００は、メモリ３２０を備えてもよい。メモリ３２０は、ランダムアクセスメモリおよび／または永続メモリを備えてもよい。メモリ３２０は、少なくとも１つのＲＡＭチップを備えてもよい。メモリ３２０は例えばソリッドステート、磁気、光学、および／またはホログラフィックメモリを備えてもよい。メモリ３２０は、少なくとも部分的にプロセッサ３１０がアクセスできてもよい。メモリ３２０は、少なくとも部分的にプロセッサ３１０に含まれてもよい。メモリ３２０は、情報を記憶する手段であってもよい。メモリ３２０は、プロセッサ３１０が実行するよう構成されているコンピュータ命令を備えてもよい。プロセッサ３１０に特定のアクションを実行させるよう構成されたコンピュータ命令がメモリ３２０に記憶されていて、デバイス３００全体がメモリ３２０からのコンピュータ命令を使用してプロセッサ３１０の指令のもとで実行するよう構成されている場合、プロセッサ３１０および／またはその少なくとも１つの処理コアが前記特定のアクションを実行するよう構成されていると考えられてもよい。メモリ３２０は、少なくとも部分的にプロセッサ３１０に含まれてもよい。メモリ３２０は、少なくとも部分的にデバイス３００の外部にあり、ただしデバイス３００がアクセスできてもよい。
【００６６】
デバイス３００は、送信機３３０を備えてもよい。デバイス３００は、受信機３４０を備えてもよい。送信機３３０および受信機３４０はそれぞれ、情報の送信および受信を少なくとも１つのセルラまたは非セルラ標準に従ってするように構成されてもよい。送信機３３０は、２つ以上の送信機を備えてもよい。受信機３４０は、２つ以上の受信機を備えてもよい。送信機３３０および／または受信機３４０は、例えば、ＧＳＭ（登録商標）、広帯域符号分割多元接続、ＷＣＤＭＡ（登録商標）、ロングタームエボリューション（ＬＴＥ）、ＩＳ−９５、ワイヤレスローカルエリアネットワーク、ＷＬＡＮ、イーサネット（登録商標）、および／またはワールドワイド・インターオペラビリティ・フォー・マイクロウェーブ・アクセス、ＷｉＭＡＸ（登録商標）、の各標準に従って動作するように構成されてもよい。
【００６７】
デバイス３００は、近距離無線通信、ＮＦＣ（ｎｅａｒ−ｆｉｅｌｄ  ｃｏｍｍｕｎｉｃａｔｉｏｎ）、送受信機３５０を備えてもよい。ＮＦＣ送受信機３５０は、ＮＦＣ、Ｂｌｕｅｔｏｏｔｈ（登録商標）、Ｗｉｂｒｅｅ（登録商標）または類似の技術など、少なくとも１つのＮＦＣ技術をサポートしてもよい。
【００６８】
デバイス３００は、ユーザインターフェース、ＵＩ（ｕｓｅｒ  ｉｎｔｅｒｆａｃｅ）、３６０を備えてもよい。ＵＩ３６０は、ディスプレイ、キーボード、タッチスクリーン、デバイス３００を振動させることによりユーザにシグナリングするように準備されたバイブレータ、スピーカおよびマイクロフォンのうちの少なくとも１つを備えてもよい。ユーザは例えば、ブロードキャストまたはマルチキャストされたコンテンツを受け入れ消費するために、ＵＥ３６０を介してデバイス３００を動作させることができてもよい。
【００６９】
デバイス３００は、ユーザアイデンティティモジュール３７０を備えてもよく、または収容するように準備されてもよい。ユーザアイデンティティモジュール３７０は、例えば、デバイス３００にインストール可能な加入者識別モジュール、ＳＩＭ（ｓｕｂｓｃｒｉｂｅｒ  ｉｄｅｎｔｉｔｙ  ｍｏｄｕｌｅ）、カードを備えてもよい。ユーザアイデンティティモジュール３７０は、デバイス３００のユーザのサブスクリプションを識別する情報を備えてもよい。ユーザアイデンティティモジュール３７０は、デバイス３００を介して生じる通信のために、デバイス３００のユーザのアイデンティティを検証するために使用可能な暗号情報を備えてもよい。またユーザアイデンティティモジュール３７０は、デバイス３００を介して生じる通信について、伝達情報の暗号化や、デバイス３００のユーザへの課金に使用可能な暗号情報を備えてもよい。
【００７０】
プロセッサ３１０は、デバイス３００内部の導線を介してデバイス３００が備える他のデバイスにプロセッサ３１０からの情報を出力するように準備された送信機を備えてもよい。そのような送信機は、例えば、メモリ３２０での記憶のためにメモリ３２０への少なくとも１つの導線を介して情報を出力するように準備されたシリアルバス送信機を備えてもよい。シリアルバスの代わりに、送信機はパラレルバス送信機を備えてもよい。同じくプロセッサ３１０は、デバイス３００内部の導線を介してデバイス３００が備える他のデバイスからプロセッサ３１０において情報を受信するように準備された受信機を備えてもよい。そのような受信機は、例えば、プロセッサ３１０における処理のために受信機３４０から少なくとも１つの導線を介して情報を受信するように準備されたシリアルバス受信機を備えてもよい。シリアルバスの代わりに、受信機はパラレルバス受信機を備えてもよい。
【００７１】
デバイス３００は、図３に示されていないさらなるデバイスを備えてもよい。例えば、デバイス３００がスマートフォンを備える場合、デバイス３００は少なくとも１つのデジタルカメラを備えてもよい。一部のデバイス３００は、後ろ向きのカメラおよび前向きのカメラを備えてもよく、後ろ向きのカメラは、デジタル写真向けであってもよく、前向きのカメラは、テレビ電話向けであってもよい。デバイス３００は、デバイス３００のユーザを少なくとも部分的に認証するように準備された指紋センサを備えてもよい。一部の実施形態において、デバイス３００は、上述した少なくとも１つのデバイスを欠く。例えば一部のデバイス３００は、ＮＦＣ送受信機３５０および／またはユーザアイデンティティモジュール３７０を欠いてもよい。
【００７２】
プロセッサ３１０、メモリ３２０、送信機３３０、受信機３４０、ＮＦＣ送受信機３５０、ＵＩ３６０、および／またはユーザアイデンティティモジュール３７０は、多数の異なる形でデバイス３００内部の導線により相互接続されてもよい。例えば前述したデバイスのそれぞれは、個々にデバイス３００内部のマスタバスに接続されて、デバイスが情報をやり取りできてもよい。なお、当然のことながらこれは一例でしかなく、実施形態に応じて、本発明の範囲から逸脱することなく上述したデバイスのうちの少なくとも２つを相互接続する様々な形が選択され得る。
【００７３】
図４は、本発明の少なくとも一部の実施形態によるシグナリングを示す。縦軸には、左側に基地局１４０、右側に受信デバイス１１０、１２０および１３０が配置されている。時間は上から下へ向かって進む。
【００７４】
集合的な段階４１０において、基地局１４０は、情報を受信デバイス１１０、１２０および１３０に送信する。この送信は、例えばマルチキャストまたはブロードキャスト送信であってもよい。この送信は、各受信デバイスに別々のメッセージ、または代わりに、複数受信デバイス宛てもしくは複数受信デバイス向けに単一メッセージを送信することを備えてもよい。
【００７５】
段階４２０、４３０、および４４０において、それぞれデバイス１１０、デバイス１２０およびデバイス１３０は、情報が受信された品質レベルを判断する。図４の例では、デバイス１１０は高品質レベルで情報を受信し、デバイス１２０および１３０は低品質レベルで情報を受信する。これらの段階において、受信デバイスはさらにフィードバックリソースを選択してもよく、デバイス１２０および１３０は、低品質レベルを判断したので、早いフィードバックリソースを選択し、デバイス１１０は、高品質レベルを判断したので、遅いフィードバックリソースを選択する。
【００７６】
段階４５０において、デバイス１３０は、選択されたフィードバックリソースを使用してフィードバックを送信する。段階４６０および４７０において、それぞれデバイス１１０および１２０は、デバイス１３０により使用されたフィードバックリソース上で送信された段階４５０のフィードバックを検出する。詳細には、段階４６０において、デバイス１１０は、或るデバイスが、デバイス１１０において段階４２０において判断されたよりも低い品質レベルに関連付けられたフィードバックリソースを使用したことを検出する。
【００７７】
段階４８０において、デバイス１２０は、選択されたフィードバックリソースを使用してフィードバックを送信する。段階４９０において、デバイス１１０は、デバイス１２０により使用されたフィードバックリソース上で送信された段階４８０のフィードバックを検出する。詳細には、段階４９０において、デバイス１１０は、デバイス１１０において段階４２０において判断されたよりも低い品質レベルに関連付けられたフィードバックリソースを或るデバイスが使用したことを検出する。段階４９０において、デバイス１１０は、段階４５０および４８０において既に提供されたフィードバックを考慮して、デバイス１１０自体のフィードバックが基地局１４０での決定に影響することはおそらくないであろうから、フィードバックを送信する必要はないと決定する。
【００７８】
段階４１００において、基地局１４０は、段階４１０の送信への応答として、受信したフィードバックを評価する。詳しくは、段階４５０および４８０のフィードバックは低品質レベルを示すので、基地局１４０は、段階４１００において、例えば送信電力を増大させてもよい。その後、段階４１１０において、次のラウンドの送信が増大した送信電力レベルを使用して実行される。
【００７９】
図５は、本発明の少なくとも一部の実施形態による方法のフローグラフである。示される方法の各段階は、デバイス１１０、またはそれに移植されるとその機能を制御するよう構成された制御デバイスにおいて実行されてもよい。
【００８０】
段階５１０は、装置において受信した情報を記憶することを含む。段階５２０は、前記情報が受信されたときの品質レベルを判断することを含む。段階５３０は、品質レベルに少なくとも部分的に基づいてフィードバックリソースを選択することを含む。最後に段階５４０は、選択されたフィードバックリソース上でフィードバックの送信を生じさせるかについて決定することを含む。この決定は、送信を行わせると決定することを含んでもよい。この決定は、例えば判断された品質レベルよりも低い品質レベルに関係するフィードバックが検出された場合に、フィードバックの送信の抑制を決定することを含んでもよい。
【００８１】
図６は、本発明の少なくとも一部の実施形態による方法のフローグラフである。示される方法の各段階は、デバイス１１０、またはそれに移植されるとその機能を制御するよう構成された制御デバイスにおいて実行されてもよい。
【００８２】
段階６１０は、装置において受信した情報を記憶することを含む。段階６２０は、前記情報が受信されたときの品質レベルを判断することを含む。段階６３０は、フィードバックを考慮するかどうかを決定することを含む。上述のとおり、品質レベルが閾値を上回っている場合、デバイスは、フィードバックの送信を全体的に差し控えることに決定してもよい。フィードバックを考慮すると決定された場合、処理は段階６４０に進む。その他の場合、処理は段階６３０において終了する。段階６４０は、品質レベルに少なくとも部分的に基づいてフィードバックリソースを選択することを含む。最後に段階６５０は、選択されたフィードバックリソース上でフィードバックの送信を生じさせることについて決定することを含む。この決定は、送信を行わせると決定することを含んでもよい。この決定は、例えば判断された品質レベルよりも低い品質レベルに関係するフィードバックが検出された場合に、フィードバックの送信の抑制を決定することを含んでもよい。
【００８３】
当然のことながら、開示された本発明の実施形態は、本願明細書において開示された特定の構造、プロセスステップまたは材料に限定されず、関連技術分野の当業者により認識されるであろうその等価物に及ぶ。さらに当然のことながら、本願明細書で用いられる用語は、特定の実施形態を説明する目的でのみ使用され、限定的であることは意図されない。
【００８４】
本明細書全体にわたる、一実施形態または実施形態への言及は、実施形態に関連して記載された特定の機能、構造、または特徴が、本発明の少なくとも１つの実施形態に含まれることを意味する。したがって、本明細書中の様々な箇所における「一実施形態において」または「実施形態において」の表現の出現は、すべて必ずしも同じ実施形態を参照しているとは限らない。例えば約またはほぼなどの用語を用いて数値に言及する場合、その正確な数値も開示の対象である。
【００８５】
本願明細書で使用される、複数の項目、構造上の構成要素、構成上の要素および／または材料は、便宜のために共通の一覧において提示されることもある。しかしながら、これらの一覧は、一覧の各要素が個別かつ一意の要素として個々に識別されたかのように解釈されるべきである。したがって、そのような一覧の個々の要素を同じ一覧の他の任意の要素の事実上の等価物であると見なすことが、そうでないことの指示なしにそれらが共通グループに出現していることのみに基づいて行われてはならない。さらに、本発明の様々な実施形態および例が、本願明細書においてその様々なコンポーネントの代替物とともに言及されることもある。当然のことながら、そのような実施形態、例および代案は、互いの事実上の等価物と解釈されてはならず、本発明の、別々の独立した表現と見なされるべきである。
【００８６】
さらに、記載された機能、構造または特徴が、１つ以上の実施形態において任意の適切な形で組み合わされてよい。前述の説明では、本発明の実施形態の完全な理解をもたらすために、長さ、幅、形などの例の多数の具体的な詳細が示された。なお、当業者には当然のことながら、本発明は、この具体的な詳細のうちの１つ以上を用いずに実施すること、または他の方法、コンポーネント、材料などを用いて実施することができる。他の場合には、本発明の側面を分かりにくくすることを避けるために、周知の構造、材料または動作は詳細に図示または記載されていない。
【００８７】
前述の例は、１つ以上の特定の応用における本発明の原理を例示するが、当業者には当然のことながら、発明の能力を行使することなく、かつ本発明の原理および概念から逸脱することなく、実装の形式、使用および細部において多数の変更を加えることができる。よって、本発明が添付の特許請求の範囲による場合を除き限定されることは意図されていない。
【００８８】
動詞「備える」および「含む」は、本文書において、同様に列挙されていない特徴の存在を除外も要求もしない、排他的でない限定として使用される。従属クレームに列挙される特徴は、別段のことが明確に記載されない限り、自由に相互に組み合わせ可能である。さらに、当然のことながら、本文書全体にわたる「或る（ａ）、（ａｎ）」、すなわち単数形の使用は、複数を除外するものではない。
【産業上の利用可能性】
【００８９】
本発明の少なくとも一部の実施形態には、通信ネットワークにおいて通信を管理することにおける産業上の用途がある。
【頭字語の一覧】
【００９０】
ＡＲＱ  自動再送要求
ＢＥＲ  ビットエラーレート
ＢＬＥＲ  ブロックエラーレート
ＣＤＭＡ  符号分割多元接続
ＣＲＣ  巡回冗長検査
ＨＡＲＱ  ハイブリットＡＲＱ
ＩＳ−９５  暫定標準９５
ＬＴＥ  ロングタームエボリューション
ＷＬＡＮ  ワイヤレスローカルエリアネットワーク
【符号の説明】
【００９１】
１１０、１２０、１３０    受信デバイス
１４０    基地局
１４１    基地局１４０により制御されるセルの縁
１５０    ネットワークノード
１６０    さらなるネットワークノード
Ｒ１、Ｒ２、Ｒ３    フィードバックリソース（図２）
Ｑ１、Ｑ２、Ｑ３    品質レベル閾値（図２）
３００〜３７０    図３の装置の構成
４１０〜４１１０    図４の方法の各段階
５１０〜５４０    図５の方法の各段階
【図１】
2019506107.tif 000003
【図２】
2019506107.tif 000004
【図３】
2019506107.tif 000005
【図４】
2019506107.tif 000006
【図５】
2019506107.tif 000007
【図６】
2019506107.tif 000008
【手続補正書】
【提出日】平成30年7月11日(2018.7.11)
【手続補正１】
【補正対象書類名】特許請求の範囲
【補正対象項目名】全文
【補正方法】変更
【補正の内容】
【特許請求の範囲】
【請求項１】
・  受信した情報を装置において記憶することと；
・  前記情報が受信されたときの品質レベルを判断することと；
・  前記品質レベルに少なくとも部分的に基づいてフィードバックリソースを選択することと；
・  前記選択されたフィードバックリソース上でフィードバックの送信を生じさせるかについて決定することと；
を含む方法。
【請求項２】
前記選択されたフィードバックリソースは、時間リソース、周波数リソースおよび符号のうちの少なくとも１つを備える、請求項１に記載の方法。
【請求項３】
前記フィードバックリソースは、品質レベル範囲のセットからフィードバックリソースのセットへのマッピングに少なくとも部分的に基づいて選択される、請求項１〜２のいずれかに記載の方法。
【請求項４】
前記品質レベルが低いことに応じて早いフィードバックリソースが選択され、前記品質レベルが高いことに応じて遅いフィードバックリソースが選択される、請求項１〜３のいずれかに記載の方法。
【請求項５】
前記判断された品質レベルが最低閾値品質レベル未満であることに応じて最も早いフィードバックリソースが選択される、前記品質レベルが最高閾値品質レベルよりも高い場合はフィードバックが送られない、のうちの少なくとも１つを含む、請求項３または４に記載の方法。
【請求項６】
前記フィードバックの送信は、コンテンションベースのメカニズムを使用して発生させられる、請求項１〜５のいずれかに記載の方法。
【請求項７】
前記フィードバックの送信は、前記装置がアイドルモードである間に、前記フィードバックを受信する通信ネットワークに対して発生させられる、請求項６に記載の方法。
【請求項８】
前記通信ネットワークからのリクエストを処理することと、前記リクエストに応答して前記通信ネットワークに対して接続状態に移行することとをさらに含む、請求項７に記載の方法。
【請求項９】
前記判断された品質レベルよりも劣る第１の品質レベルに関連付けられたフィードバックリソースを使用して別の装置がフィードバックを送信したと判断することに応じて、前記フィードバックの送信の抑制を決定することを含む、請求項１〜８のいずれかに記載の方法。
【請求項１０】
フィードバックリソースがサービス依存である、及び／又は、品質レベルがサービス依存である、請求項１〜９のいずれかに記載の方法。
【請求項１１】
変更された無線パラメータを受信することに応じて、前記フィードバックの送信の抑制を決定することをさらに含む、請求項１〜１０のいずれかに記載の方法。
【請求項１２】
前記フィードバックは、ブロードキャストサービスまたはマルチキャストサービスに関するフィードバックを備える、請求項１〜１１のいずれかに記載の方法。
【請求項１３】
・  情報を装置からデバイスに送信することと；
・  前記デバイスから前記情報の受信に関するフィードバックを受信すること、ただし、第１の受信品質を示すフィードバックは第１のフィードバックリソース上で送信され、第２の受信品質を示すフィードバックは第２のフィードバックリソース上で送信される、前記受信することと；
・  前記受信したフィードバックに少なくとも部分的に基づいて送信パラメータを変更するかについて決定することと；
を含む方法。
【請求項１４】
フィードバックが前記第１のフィードバックリソース上で受信されれば前記第２のフィードバックリソース上のフィードバックをリッスンしないことをさらに含む、請求項１３に記載の方法。
【請求項１５】
前記第１のフィードバックリソースに関する干渉対雑音比を推定することにより前記第１のフィードバックリソース上でフィードバックを送信するデバイスの数を推定することをさらに含む、請求項１３または１４に記載の方法。
【請求項１６】
少数のユーザ機器のみが劣悪な受信品質に遭遇することを前記フィードバックが示すことに応じて、前記送信パラメータが変更される周期性を変更することをさらに含む、請求項１３〜１５のいずれかに記載の方法。
【請求項１７】
前記装置に、品質レベル範囲のセットからフィードバックリソースのセットへのマッピングを前記デバイスに提供させることをさらに含む、請求項１３〜１６のいずれかに記載の方法。
【請求項１８】
・  受信した情報を装置において記憶する手段と；
・  前記情報が受信されたときの品質レベルを判断する手段と；
・  前記品質レベルに少なくとも部分的に基づいてフィードバックリソースを選択する手段と；
・  前記選択されたフィードバックリソース上でフィードバックの送信を生じさせるかについて決定する手段と；
を備える装置。
【請求項１９】
・  情報をデバイスに送信する手段と；
・  前記デバイスから前記情報の受信に関するフィードバックを受信する手段であって、第１の受信品質を示すフィードバックは第１のフィードバックリソース上で送信され、第２の受信品質を示すフィードバックは第２のフィードバックリソース上で送信される、前記受信する手段と；
・  前記受信したフィードバックに少なくとも部分的に基づいて送信パラメータを変更するかについて決定する手段と；
を備える装置。
【請求項２０】
処理手段及び記憶手段を備える装置であって、前記記憶手段はプログラム命令を格納し、前記プログラム命令は、前記処理手段に実行されると、前記装置に、請求項１から１２のいずれかに記載の方法を遂行させるように構成される、装置。
【請求項２１】
装置の処理手段に実行されると、前記装置に、請求項１から１２のいずれかに記載の方法を遂行させるように構成されるプログラム命令を備える、コンピュータプログラム。
【請求項２２】
処理手段及び記憶手段を備える装置であって、前記記憶手段はプログラム命令を格納し、前記プログラム命令は、前記処理手段に実行されると、前記装置に、請求項１３から１７のいずれかに記載の方法を遂行させるように構成される、装置。
【請求項２３】
装置の処理手段に実行されると、前記装置に、請求項１３から１７のいずれかに記載の方法を遂行させるように構成されるプログラム命令を備える、コンピュータプログラム。
【国際調査報告】
2019506107.tif 000009
2019506107.tif 000010
2019506107.tif 000011
2019506107.tif 000012
2019506107.tif 000013